(57)【要約】【課題】浴室扉において高齢者や身体障害者が入浴中に倒れる等の緊急時に扉を脱衣室側より簡単に開放でき、救出できる緊急脱出機構を備えた丁番を有する扉を具現化する。【解決手段】扉用丁番１は下部の軸付丁番基板２とバネ構造筒部３を有する上部軸付丁番基板４を有し、該バネ構造筒部３を有する上部軸付丁番基板４は外力により任意に前記下部の軸付丁番基板２の軸部５より抜脱或いは挿着できる緊急脱出機構を備えた。【選択図】 図５
2005307635.tif 000002
【特許請求の範囲】
【請求項１】
扉用丁番は下部の軸付丁番基板とバネ構造筒部を有する上部軸付丁番基板を有し、該バネ構造筒部を有する上部軸付丁番基板は外力により任意に前記下部の軸付丁番基板の軸部より抜脱或いは挿着できることを特徴とする緊急脱出機構を備えた扉用丁番。
【請求項２】
扉を構成する扉枠を三方枠或いは四方枠に丁番を介して開閉可能に取付られる扉を備え、該扉用丁番は下部の軸付丁番基板とバネ構造筒部を有する上部軸付丁番基板を有し、前記下部の軸付丁番基板は三方枠或いは四方枠側にビス止めされ、また前記バネ構造筒部を有する上部軸付丁番基板は扉枠にビス止めされていて、該扉を構成する扉枠は必要に応じ外部側より力を加え前記下部の軸付丁番基板とバネ構造筒部を有する上部軸付丁番基板が外れることにより前記扉を構成する扉枠を丁番側より開放することを特徴とする緊急脱出機構丁番をそなえた扉。
【請求項３】
前記下部の軸付丁番基板とバネ構造筒部を有する上部軸付丁番基板からなる丁番は旗丁番であることを特徴とする請求項１記載の緊急脱出機構を備えた扉用丁番。
【請求項４】
前記下部の軸付丁番基板とバネ構造筒部を有する上部軸付丁番基板からなる丁番は抜差丁番であることを特徴とする請求項１記載の緊急脱出機構を備えた扉用丁番。
【請求項５】
前記下部の軸付丁番基板とバネ構造筒部を有する上部軸付丁番基板からなる丁番は平型丁番であることを特徴とする請求項１記載の緊急脱出機構を備えた扉用丁番。
【発明の詳細な説明】
【技術分野】
【０００１】
本発明は浴室扉において高齢者や身体障害者が入浴中に倒れる緊急時に扉を脱衣室側より簡単に開放でき、救出できる緊急脱出機構を備えた丁番を有する扉に関するものである。
【背景技術】
【０００２】
新設の建物のに於ける浴室扉、トイレ用扉、高齢者居住室等の扉は緊急時の開閉に対して扉パネル等を脱着式とした商品で対応しているが、改修工事を対象に
考えると、既設扉に緊急時脱出用の扉開口機能をもたせる商品提供は多種の扉に対処することが困難であった。
【発明の開示】
【発明が解決しようとする課題】
【０００３】
本発明によって解決しようとする課題は、既設扉の改修等にあっても緊急時に扉を外部側より簡単に開放でき、内部側の人を救出できる緊急脱出機構を備えた丁番を有する扉に関するもので、特にフラッシュドア等の改修でも簡単に、上記機能を付加できる機構を提供する。
【課題を解決するための手段】
【０００４】
本発明は、浴室扉において高齢者や身体障害者が入浴中に倒れる等の緊急時に扉を脱衣室側より簡単に開放でき、救出できる緊急脱出機構を備えた丁番を有する扉を具現化するものである。
【０００５】
本発明において、使用される扉用丁番は、下部の軸付丁番基板とバネ構造筒部を有する上部軸付丁番基板を有し、該バネ構造筒部を有する上部軸付丁番基板は外力により任意に前記下部の軸付丁番基板の軸部より抜脱或いは挿着できる機能を備えた扉用丁番である。
【０００６】
本発明は、扉を構成する扉枠を三方枠或いは四方枠に丁番を介して開閉可能に取付られる扉を備え、該扉用丁番は下部の軸付丁番基板とバネ構造筒部を有する上部軸付丁番基板を有し、前記下部の軸付丁番基板は三方枠或いは四方枠側にビス止めされ、また前記バネ構造筒部を有する上部軸付丁番基板は扉枠にビス止めされていて、該扉を構成する扉枠は必要に応じ外部側より力を加え前記下部の軸付丁番基板とバネ構造筒部を有する上部軸付丁番基板が外れることにより前記扉を構成する扉枠を丁番側より開放することを特徴とする緊急脱出機構丁番をそなえた扉である。
【０００７】
本発明の下部の軸付丁番基板とバネ構造筒部を有する上部軸付丁番基板からなる丁番は旗丁番に実施する。
【０００８】
また、本発明の下部の軸付丁番基板とバネ構造筒部を有する上部軸付丁番基板からなる丁番は抜差丁番に実施する。
【０００９】
更にまた、本発明の下部の軸付丁番基板とバネ構造筒部を有する上部軸付丁番基板からなる丁番は平型丁番に実施する。
【発明の効果】
【００１０】
本発明は浴室扉等において高齢者や身体障害者が入浴中に倒れる緊急時に扉を脱衣室側より何の道具も必要とせず簡単に開放でき、救出できる緊急脱出機構を備えた丁番を有する扉を提供することができた。
【００１１】
また、本発明は改修工事において、既設扉の丁番を本発明の製品に交換するといった簡単な方法で緊急時脱出用の扉開口機能をもたせた扉に変身することができた。そして本発明は、浴室扉、トイレ用扉、高齢者居住室等の多種の扉に対処することができ、特にフラッシュドア等の改修でも簡単に、上記機能を付加できる機構を提供できた。
【発明を実施するための最良の形態】
【００１２】
本発明の扉用丁番は、下部の軸付丁番基板とバネ構造筒部を有する上部軸付丁番基板を有し、該バネ構造筒部を有する上部軸付丁番基板は外力により任意に前記下部の軸付丁番基板の軸部より抜脱或いは挿着できることを要旨とした緊急脱出機構を備えた扉用丁番である。
【００１３】
本発明は、扉を構成する扉枠を三方枠或いは四方枠に丁番を介して開閉可能に取付られる扉を備え、該扉用丁番は下部の軸付丁番基板とバネ構造筒部を有する上部軸付丁番基板を有し、前記下部の軸付丁番基板は三方枠或いは四方枠側にビス止めされ、また前記バネ構造筒部を有する上部軸付丁番基板は扉枠にビス止めされていて、該扉を構成する扉枠は必要に応じ外部側より力を加え前記下部の軸付丁番基板とバネ構造筒部を有する上部軸付丁番基板が外れることにより前記扉を構成する扉枠を丁番側より開放することを特徴としている緊急脱出機構丁番をそなえた扉である。
【００１４】
本発明における下部の軸付丁番基板とバネ構造筒部を有する上部軸付丁番基板からなる丁番は、旗丁番に実施することが好ましい。
【００１５】
また、本発明における下部の軸付丁番基板とバネ構造筒部を有する上部軸付丁番基板からなる丁番は、抜差丁番に実施することも好ましい。
【００１６】
更にまた、本発明は下部の軸付丁番基板とバネ構造筒部を有する上部軸付丁番基板からなる丁番は、平型丁番に実施することも、また好ましい。
【実施例１】
【００１７】
図１乃至図５は本発明の実施例１を示す説明図であり、図１は実施例１の側面図、図２は図１のA-A断面図、図３は図１のB-B断面図、図４及び図５は実施例１の動作説明図である。
【００１８】
図１乃至図５において、１は実施例１の丁番、２は下部の軸付丁番基板、３は
バネ構造筒部、４は上部軸付丁番基板、５は前記下部の軸付丁番基板２に支持されバネ構造筒部に挿着されている上部軸部、６a、６ｂ、６ｃ・・・は丁番１を扉または扉枠にビス止めするためのビス孔である。
【００１９】
而して、図２は図１のA-A断面図であり、バネ構造部材３内には通常上部軸部５が挿着されており、また該上部軸部５は弾性体で形成されたバネ構造部材３の開口部７から外圧を受けた場合に挿脱可能に構成されている。
【００２０】
図３は図１のB-B断面図であり、下部の軸付丁番基板２と一体的に形成された筒部８は上部軸部５を支持して該上部をバネ構造筒部３に伸長挿着されている。  
【００２１】
図４は図１乃至図３にて説明した丁番１を扉９を構成する扉枠１０並びに扉の三方枠１１にビス１２a、１２ｂ、１２ｃ、１３a、１３ｂ、１３ｃにてそれぞれ螺着してして固定されており、該丁番１により扉９は三方枠１１内に開閉可能に設置されている。
【００２２】
尚、図面上では丁番１を一つ三方枠１１に取り付けた形状のみを示しているが、通常扉９を三方枠１１にセットするには、図４と同様に丁番１を二個乃至三個で扉９を設置している。
【００２３】
斯くして、図５は設置された扉９を浴室内部側よりサムターンを等を使用してロックして使用中に、使用者が浴室内で倒れる等のアクシデントを起こした場合に、本発明にあっては、扉９の吊り元側、即ち、丁番１側より外圧を加え、上部軸付丁番基板４のバネ構造筒部３より上部軸部５を、図５の如く抜脱する。
そして、本発明は浴室内部側に扉９を押しのけ入浴中に倒れた病人を救助することが可能で、その際に本発明は扉９を脱衣室側より何の道具も必要とせず簡単に開放でき、救出できるものである。
【００２４】
本発明の扉用丁番１は下部の軸付丁番基板２とバネ構造筒部３を有する上部軸付丁番基板４を有し、該バネ構造筒部３を有する上部軸付丁番基板４は外力により任意に前記下部の軸付丁番基板２の軸部５より抜脱或いは挿着できることを特徴としている緊急脱出機構を備えた扉用丁番である。
【００２５】
また、本発明は、扉９を構成する扉枠１０を三方枠１１に丁番１を介して開閉可能に取付られる扉９を備え、該扉９用丁番１は下部の軸付丁番基板２とバネ構造筒部３を有する上部軸付丁番基板４を有し、前記下部の軸付丁番基板２は三方枠１１側にビス止めされ、また前記バネ構造筒部３を有する上部軸付丁番基板４は扉枠１０にビス止めされていて、該扉９を構成する扉枠１０は必要に応じ外部側より力を加え前記下部の軸付丁番基板２とバネ構造筒部３を有する上部軸付丁番基板４が外れることにより前記扉９を構成する扉枠１０を丁番１側より開放することを特徴とする緊急脱出機構丁番をそなえた扉である。
【００２６】
尚、本発明においては、丁番１の吊り元や、丁番の使い勝手を工夫することにより扉９の抜脱方向も任意に選定できる。
【実施例２】
【００２７】
図６乃至図８は本発明の実施例２を説明するもので、図６は実施例２の側面図、図７は図６のA-A断面図、図８は図６のB-B断面図である。
図６乃至図８において、１４は実施例２の抜差丁番、２は下部の軸付丁番基板、３はバネ構造筒部、４は上部軸付丁番基板、５は前記下部の軸付丁番基板２に支持されバネ構造筒部に挿着されている上部軸部、６a、６ｂ、６ｃ・・・は抜差丁番１４を扉または扉枠にビス止めするためのビス孔である。
【００２８】
而して、図７は図６のA-A断面図であり、バネ構造部材３内には通常上部軸部５が挿着されており、また該上部軸部５は弾性体で形成されたバネ構造部材３の開口部７から外圧を受けた場合に挿脱可能に構成されている。
【００２９】
図８は図６のB-B断面図であり、下部の軸付丁番基板２と一体的に形成された筒部８は上部軸部５を支持して該上部をバネ構造筒部３に伸長挿着されている。
【００３０】
斯くして実施例２は抜差丁番１４に本発明を実施したもので、本発明は実施例１の旗丁番、差抜丁番、平型丁番等にも実施でき、また、本発明の前記扉用丁番は、下部の軸付丁番基板２とバネ構造筒部３を有する上部軸付丁番基板４を有し、該バネ構造筒部３を有する上部軸付丁番基板４は外力により任意に前記下部の軸付丁番基板２の軸部５より抜脱或いは挿着できることを特徴としている緊急脱出機構を備えた扉用丁番である。
【産業上の利用可能性】
【００３１】
斯くして、本発明は、浴室扉において高齢者や身体障害者が入浴中に倒れる等の緊急時に扉を脱衣室側より簡単に開放でき、救出できる緊急脱出機構を備えた丁番を有する扉を具現化したもので、改修工事等でその利用価値は多大な物がある。
【図面の簡単な説明】
【００３２】
【図１】本発明の実施例１を示す説明図である。
【図２】図１のA-A断面図である。
【図３】図１のB-B断面図である。
【図４】実施例１の動作説明図である。
【図５】実施例１の動作説明図である。
【図６】本発明の実施例２を示す説明図である。
【図７】図６のA-A断面図である。
【図８】図６のB-B断面図である。
【符号の説明】
【００３３】
１  丁番
２  下部の軸付丁番基板
３  バネ構造筒部
４  上部軸付丁番基板
５  上部軸部
６a、６ｂ、６ｃ・・・  ビス孔
７  開口部
８  筒部
９  扉
１０  扉枠
１１  三方枠
１２a、１２ｂ、１２ｃ・・・  ビス
１３a、１３ｂ、１３ｃ・・・  ビス
【図１】
2005307635.tif 000003
【図２】
2005307635.tif 000004
【図３】
2005307635.tif 000005
【図４】
2005307635.tif 000006
【図５】
2005307635.tif 000007
【図６】
2005307635.tif 000008
【図７】
2005307635.tif 000009
【図８】
2005307635.tif 000010